(57)【要約】【課題】火災受信機が火災感知器と直接的に通信できない状況でも火災感知器に割り当てられたアドレス情報を火災受信機が取得できる防災システム、火災受信機、及び中継器を提供する。【解決手段】防災システムの中継器３は、火災感知器２と火災受信機１との通信を中継する。中継器３は、中継器３に割り当てられた第１アドレス情報を記憶する。火災感知器２は、自己に一対一に割り当てられた複数の第２アドレス情報を記憶する。中継器３は、自己の第１アドレス情報を火災受信機１に送信する機能と、第２アドレス情報を火災感知器２から取得する機能と、第２アドレス情報を火災受信機１に送信する機能と、を有する。防災システムの火災受信機１は、第１記憶部１１を有し、第１記憶部１１に記憶した第１アドレス情報が割り当てられた中継器３から第２アドレス情報を取得して第２アドレス情報を第１記憶部１１に記憶する。【選択図】図２
2018173892.tif 000002
【特許請求の範囲】
【請求項１】
複数の火災感知器のうち少なくとも１つの火災感知器から火災の発生を通知する信号を受信する火災受信機と、
前記複数の火災感知器と前記火災受信機との通信を中継する中継器と、
を備えた防災システムであって、
前記中継器は、自己に割り当てられた第１アドレス情報を記憶し、
前記複数の火災感知器は、前記複数の火災感知器に一対一に割り当てられた複数の第２アドレス情報を記憶し、
前記中継器は、自己の前記第１アドレス情報を前記火災受信機に送信する機能と、前記複数の第２アドレス情報を前記複数の火災感知器から取得する機能と、前記複数の第２アドレス情報を前記火災受信機に送信する機能と、を有し、
前記火災受信機は、記憶部を有し、前記記憶部に記憶した前記第１アドレス情報が割り当てられた前記中継器から前記複数の第２アドレス情報を取得して前記複数の第２アドレス情報を前記記憶部に記憶するように構成されている
防災システム。
【請求項２】
前記中継器を複数備え、
前記火災受信機は、前記複数の第２アドレス情報を前記中継器の前記第１アドレス情報ごとに管理するように構成されている
請求項１に記載の防災システム。
【請求項３】
前記火災受信機は、前記中継器から取得した前記複数の第２アドレス情報と、前記記憶部に記憶されている前記複数の第２アドレス情報と、を前記中継器ごとに比較し、比較結果に応じた出力を行うように構成されている
請求項２に記載の防災システム。
【請求項４】
前記火災受信機の前記記憶部は、第１記憶部であり、
前記中継器は、
前記複数の第２アドレス情報を記憶する第２記憶部を有し、
前記第２記憶部に記憶されている前記複数の第２アドレス情報と、前記複数の火災感知器から取得した前記複数の第２アドレス情報と、を比較し、比較結果を前記火災受信機に送信するように構成されている
請求項２に記載の防災システム。
【請求項５】
前記火災受信機は、前記複数の第２アドレス情報の記憶状態を表示する表示部と、前記記憶状態を変更する操作を受け付ける操作部と、を更に有し、前記操作部での操作に応じて前記記憶状態を変更するように構成されている
請求項１〜４の何れか１項に記載の防災システム。
【請求項６】
前記火災受信機は、前記記憶部から前記第１アドレス情報が削除された場合、前記第１アドレス情報に対応する前記複数の第２アドレス情報を破棄するように構成されている
請求項２に記載の防災システム。
【請求項７】
前記火災受信機は、前記複数の第２アドレス情報の送信を要求する要求信号を前記中継器に送信するように構成されており、
前記中継器は、前記要求信号を受信すると、前記複数の火災感知器から前記複数の第２アドレス情報を取得し、取得した前記複数の第２アドレス情報を前記火災受信機に送信するように構成されている
請求項１〜６の何れか１項に記載の防災システム。
【請求項８】
前記火災受信機は、前記複数の第２アドレス情報の送信を要求する要求信号を前記中継器に送信するように構成されており、
前記中継器は、前記複数の火災感知器から前記複数の第２アドレス情報を取得して保持し、前記要求信号を受信すると、保持している前記複数の第２アドレス情報を前記火災受信機に送信するように構成されている
請求項１〜６の何れか１項に記載の防災システム。
【請求項９】
複数の火災感知器のうち少なくとも１つの火災感知器から火災の発生を通知する信号を、中継器を介して受信する火災受信機であって、
前記中継器は、自己に割り当てられた第１アドレス情報を記憶し、複数の火災感知器と前記火災受信機との通信を中継し、
前記複数の火災感知器は、前記複数の火災感知器に一対一に割り当てられた複数の第２アドレス情報を記憶し、
前記中継器は、自己の前記第１アドレス情報を前記火災受信機に送信する機能と、前記複数の第２アドレス情報を前記複数の火災感知器から取得する機能と、前記複数の第２アドレス情報を前記火災受信機に送信する機能と、を有し、
前記火災受信機は、記憶部を有し、前記記憶部に記憶した前記第１アドレス情報が割り当てられた前記中継器から前記複数の第２アドレス情報を取得して前記複数の第２アドレス情報を前記記憶部に記憶するように構成されている
火災受信機。
【請求項１０】
複数の火災感知器と火災受信機との通信を中継する中継器であって、
前記火災受信機は、前記複数の火災感知器のうち少なくとも１つの火災感知器から火災の発生を通知する信号を受信し、
前記中継器は、自己に割り当てられた第１アドレス情報を記憶し、
前記複数の火災感知器は、前記複数の火災感知器に一対一に割り当てられた複数の第２アドレス情報を記憶し、
前記中継器は、自己の前記第１アドレス情報を前記火災受信機に送信する機能と、前記複数の第２アドレス情報を前記複数の火災感知器から取得する機能と、前記複数の第２アドレス情報を前記火災受信機に送信する機能と、を有する
中継器。
【発明の詳細な説明】
【技術分野】
【０００１】
本発明は、一般に、防災システム、火災受信機、及び中継器に関し、より詳細には、火災の発生を検知する防災システム、その防災システムの火災受信機、及びその防災システムの中継器に関する。
【背景技術】
【０００２】
従来、各住戸に設置された住宅情報盤と警報監視統合盤と制御線で接続し、感知器回線に接続されている火災感知器を試験発報させるようにした集合住宅警報監視統合システムが知られている（例えば特許文献１参照）。特許文献１に記載の集合住宅警報監視統合システムでは、警報監視統合盤は、感知器回線ごとにアドレスを順次変えながら所定の順序で総当たり式のポーリングを行うことで、火災感知器の有効なアドレスを自動で検知判別して登録している。
【先行技術文献】
【特許文献】
【０００３】
【特許文献１】特開２００７−２９９０６６号公報
【発明の概要】
【発明が解決しようとする課題】
【０００４】
特許文献１に記載の集合住宅警報監視統合システムにおいて、警報監視統合盤（火災受信機）は、集合住宅警報監視統合システムに接続された全ての火災感知器と直接的に通信する必要がある。
【０００５】
本発明は上記課題に鑑みてなされ、火災受信機が火災感知器と直接的に通信できない状況でも火災感知器に割り当てられたアドレス情報を火災受信機が取得できる防災システム、火災受信機、及び中継器を提供することを目的とする。
【課題を解決するための手段】
【０００６】
本発明の一態様に係る防災システムは、本実施形態の防災システムは、火災受信機と、中継器と、を備えている。前記火災受信機は、複数の火災感知器のうち少なくとも１つの火災感知器から火災の発生を通知する信号を受信する。前記中継器は、前記複数の火災感知器と前記火災受信機との通信を中継する。前記中継器は、自己に割り当てられた第１アドレス情報を記憶する。前記複数の火災感知器は、前記複数の火災感知器に一対一に割り当てられた複数の第２アドレス情報を記憶する。前記中継器は、自己の前記第１アドレス情報を前記火災受信機に送信する機能と、前記複数の第２アドレス情報を前記複数の火災感知器から取得する機能と、前記複数の第２アドレス情報を前記火災受信機に送信する機能と、を有する。前記火災受信機は、記憶部を有し、前記記憶部に記憶した前記第１アドレス情報が割り当てられた前記中継器から前記複数の第２アドレス情報を取得して前記複数の第２アドレス情報を前記記憶部に記憶するように構成されている。
【０００７】
本発明の一態様に係る火災受信機は、複数の火災感知器のうち少なくとも１つの火災感知器から火災の発生を通知する信号を、中継器を介して受信する。前記中継器は、自己に割り当てられた第１アドレス情報を記憶し、複数の火災感知器と前記火災受信機との通信を中継する。前記複数の火災感知器は、前記複数の火災感知器に一対一に割り当てられた複数の第２アドレス情報を記憶する。前記中継器は、自己の前記第１アドレス情報を前記火災受信機に送信する機能と、前記複数の第２アドレス情報を前記複数の火災感知器から取得する機能と、前記複数の第２アドレス情報を前記火災受信機に送信する機能と、を有する。前記火災受信機は、記憶部を有し、前記記憶部に記憶した前記第１アドレス情報が割り当てられた前記中継器から前記複数の第２アドレス情報を取得して前記複数の第２アドレス情報を前記記憶部に記憶するように構成されている。
【０００８】
本発明の一態様に係る中継器は、複数の火災感知器と火災受信機との通信を中継する。前記火災受信機は、前記複数の火災感知器のうち少なくとも１つの火災感知器から火災の発生を通知する信号を受信する。前記中継器は、自己に割り当てられた第１アドレス情報を記憶する。前記複数の火災感知器は、前記複数の火災感知器に一対一に割り当てられた複数の第２アドレス情報を記憶する。前記中継器は、自己の前記第１アドレス情報を前記火災受信機に送信する機能と、前記複数の第２アドレス情報を前記複数の火災感知器から取得する機能と、前記複数の第２アドレス情報を前記火災受信機に送信する機能と、を有する。
【発明の効果】
【０００９】
本発明は、火災受信機が火災感知器と直接的に通信できない状況でも火災感知器に割り当てられたアドレス情報を火災受信機が取得できる、という利点がある。
【図面の簡単な説明】
【００１０】
【図１】図１は、本発明の実施形態１に係る防災システムの全体構成図である。
【図２】図２は、同上の防災システムの概略構成図である。
【図３】図３は、同上の防災システムの動作を示すシーケンス図である。
【図４】図４は、同上の防災システムにおける別の動作を示すシーケンス図である。
【図５】図５は、同上の防災システムにおける更に別の動作を示すシーケンス図である。
【発明を実施するための形態】
【００１１】
以下、本発明の実施形態に係る防災システム１００、火災受信機１、及び中継器３について図１〜図５を参照して説明する。ただし、以下に説明する実施形態（変形例を含む）は、本発明の様々な実施形態の一つに過ぎない。以下の実施形態は、本発明の目的を達成できれば、設計などに応じて種々の変更が可能である。
【００１２】
（実施形態１）
（１）防災システムの概要
実施形態１の防災システム１００について図１を参照して説明する。
【００１３】
防災システム１００は、火災の発生を検知するシステムである。防災システム１００は、例えば、オフィスビルなどの建物内に設置され、建物内の火災の発生を検知する。なお、防災システム１００は、オフィスビルなどのような商用施設の他にも、戸建住宅などに設置されてもよい。
【００１４】
防災システム１００は、火災受信機１と、複数（ここでは２つ）の中継器３と、複数（ここでは６つ）の火災感知器２と、複数（ここでは２つ）の発信機２００と、音響装置４と、を備えている。
【００１５】
火災受信機１と複数の中継器３とは第１通信線Ｌ１で接続されている。火災受信機１と複数の中継器３とは、一例として、カスケード接続により第１通信線Ｌ１を介して通信する。火災受信機１と中継器３とは、一例として、Ｒ型（Record-type）の通信方式で通信する機器である。一方、複数の火災感知器２と、複数の発信機２００とは、一例としてＰ型（Proprietary-type）の通信方式で中継器３と通信する機器である。
【００１６】
各中継器３には、第２通信線Ｌ２が接続されている。第２通信線Ｌ２には、複数（ここでは３つ）の火災感知器２と、発信機２００とが電気的に接続されている。各火災感知器２は、例えば、煙を感知する感知器、及び熱を感知する感知器などである。各火災感知器２は、火災の発生を検知すると、火災の発生を通知する信号（以下、火災報と呼ぶ。）を、第２通信線Ｌ２に出力する。各発信機２００は、一例として、押し釦を有し、押し釦が押し操作されると火災報を第２通信線Ｌ２に出力する。中継器３は、火災報を受信すると、第１通信線Ｌ１を介して火災報を火災受信機１に送信する。したがって、火災受信機１は、複数の火災感知器２のうち少なくとも１つの火災感知器２から火災報を受信することができる。
【００１７】
火災受信機１は、火災報を受信すると、火災の発生を報知する動作を行う。火災の発生を報知する動作は、例えば、建物内に設置された音響装置４を鳴動させたり、電気通信回線を介して建物の外部の施設（例えば消防署など）に通報したりする動作である。
【００１８】
実施形態１の防災システム１００では、１つの中継器３と、複数（ここでは３つ）の火災感知器２と、１つの発信機２００とにより火災感知システム５を構成している。防災システム１００は、一例として、２つの火災感知システム５を有している。以下の説明では、火災受信機１と、１つの火災感知システム５における複数の火災感知器２及び中継器３と、について説明する。なお、防災システム１００は、２つの火災感知システム５を有することに限らず、１つ又は３つ以上の火災感知システム５を有していてもよい。
【００１９】
（２）火災受信機の構成
火災受信機１は、図２に示すように、第１通信部１４と、第１制御部１５と、第１記憶部１１（記憶部）と、表示部１２と、操作部１３と、を有する。
【００２０】
第１通信部１４には第１通信線Ｌ１が接続されている。第１記憶部１１は、例えばＥＥＰＲＯＭ（Electrically Erasable Programmable Read-Only Memory）などのような不揮発性のメモリを有する。第１記憶部１１は、第１アドレス情報と、複数の第２アドレス情報と、を記憶する。
【００２１】
第１制御部１５は、第１通信部１４と、第１制御部１５と、第１記憶部１１と、表示部１２と、操作部１３と、の各々を制御する。第１制御部１５は、例えば、火災受信機１が有するマイクロコンピュータが、マイクロコンピュータの内蔵するメモリからプログラムなどを読み込んで実行することにより実現されている。第１制御部１５は、第１応答信号（図３参照）を中継器３に要求する第１要求信号（図３参照）を、第１通信部１４から中継器３の第３通信部３３に送信させる。第１応答信号は、複数の第２アドレス情報と、各火災感知器２の種類（例えば、熱感知器、煙感知器など）と、各火災感知器２の感度に関する情報（例えば第１種〜第３種など）と、を含む信号である。
【００２２】
第１制御部１５は、第１応答信号を受信することにより中継器３から取得した第１アドレス情報と複数の第２アドレス情報とを第１記憶部１１に記憶させる。言い換えると、第１制御部１５は、第１アドレス情報と複数の第２アドレス情報とを第１記憶部１１に登録する。第１制御部１５は、第１アドレス情報と複数の第２アドレス情報とに基づいて、火災感知システム５の中継器３及び複数の火災感知器２を判別することができる。第１制御部１５は更に、第１応答信号に含まれる各火災感知器２の種類と感度に関する情報とを第１記憶部１１に記憶させることができる。
【００２３】
第１制御部１５は、第１記憶部１１に記憶した第１アドレス情報及び複数の第２アドレス情報と、中継器３から取得した第１アドレス情報及び複数の第２アドレス情報と、を比較する機能を有する。第１制御部１５は更に、第１記憶部１１に記憶した各火災感知器２の種類及び感度に関する情報と、中継器３から取得した各火災感知器２の種類及び感度に関する情報と、を比較する機能を有する。以下、第１記憶部１１に記憶した第１アドレス情報と、複数の第２アドレス情報と、各火災感知器２の種類と、各火災感知器２の感度に関する情報と、のことを「記憶済み情報」とも呼ぶ。また、中継器３から取得した第１アドレス情報と、複数の第２アドレス情報と、各火災感知器２の種類と、各火災感知器２の感度に関する情報と、のことを「取得済み情報」とも呼ぶ。第１制御部１５は、記憶済み情報と取得済み情報との比較を、火災感知システム５ごとに行う。火災感知システム５は中継器３を有しているので、換言すれば、第１制御部１５は、中継器３の第１アドレス情報ごとに記憶済み情報と取得済み情報との比較を行う。第１制御部１５は、記憶済み情報と、取得済み情報とを中継器３ごとに比較し、比較結果に応じた出力を行う。「比較結果に応じた出力」とは、例えば、第１制御部１５が表示部１２に比較結果を表示させるための表示部１２への信号の出力などである。なお、第１制御部１５が各火災感知器２の種類と感度に関する情報とを第１記憶部１１に記憶させる構成は必須ではなく省略可能である。また、記憶済み情報及び取得済み情報には、他にも例えば、機器の名称などの適宜の情報を含んでいてもよい。
【００２４】
第１制御部１５は、記憶済み情報を変更及び削除可能である。第１制御部１５は、例えば、作業者が操作部１３に入力した操作内容に応じて、記憶済み情報を変更及び削除可能できる。また、第１制御部１５は、作業者が操作部１３に入力した操作内容に応じて、第１要求信号を第１通信部１４から中継器３に送信させることができる。また、第１制御部１５は、操作部１３からの入力操作なしに、周期的に（例えば２４時間ごとに）第１要求信号を第１通信部１４から中継器３に送信させることも可能である。なお、第１制御部１５の動作の詳細については「（５）第１記憶部への第１、第２アドレス情報の記憶手順」にて説明する。
【００２５】
表示部１２は、例えば、液晶パネルディスプレイを有し、文字情報を表示することができる。表示部１２は、一例として、第２アドレス情報を１つずつ表示することができる。表示部１２は更に、表示している第２アドレス情報に対応する火災感知器２の種類と、火災感知器２の感度に関する情報と、を表示することができる。なお、表示部１２は、液晶パネルディスプレイに限らず、ＬＥＤ（Light Emitting Diode）などを採用した７セグメントのディスプレイ、及び有機エレクトロルミネッセンスディスプレイなど、適宜の表示装置でもよい。
【００２６】
操作部１３は、複数のスイッチを有する。複数のスイッチは、例えば、テンキー及び文字を入力するためのボタン、及び表示部１２の表示内容を切り替えるためのボタン（例えば、操作を次に進めるためのボタン、前の操作に戻るためのボタン、ＯＫボタン、及びキャンセルボタン）などを含んでいる。作業者は、表示部１２の表示内容を確認して、操作部１３を操作することにより、記憶済み情報の確認、取得済み情報の第１記憶部１１への記憶（登録）、変更、及び破棄（削除）をすることができる。以下、取得済み情報の第１記憶部１１への記憶（登録）、登録済み情報の変更及び破棄のことを取得済み情報又は登録済み情報の管理とも呼ぶ。
【００２７】
操作部１３は、複数のスイッチが操作されることにより、火災受信機１から中継器３及び各火災受信機１に対して任意の信号を送信するための操作を受け付ける。任意の信号は、例えば、後述する第１〜第４要求信号、各火災感知器２のアライブチェックのための信号、自動試験を実施するための信号、などである。
【００２８】
なお、火災受信機１は、表示部１２と操作部１３とを兼ねるタッチパネルディスプレイを有していてもよい。
【００２９】
（３）中継器の構成
中継器３は、第２通信部３２と、第３通信部３３と、第２制御部３４と、変換部３５と、第２記憶部３１と、を有している。第３通信部３３には第１通信線Ｌ１が接続されている。第２通信部３２には第２通信線Ｌ２が接続されている。変換部３５は、第２通信部３２と第３通信部３３との間のプロトコル変換を行う。
【００３０】
第２記憶部３１は、例えば、ＥＥＰＲＯＭなどのような不揮発性のメモリを有する。第２記憶部３１は、第１アドレス情報を記憶している。第１アドレス情報は、複数の中継器３に一対一に対応するアドレス情報であり、中継器３ごとに異なる。第１アドレス情報は、例えば、数列及び文字列のうち少なくとも一方で表される情報である。第１アドレス情報は、例えば、作業者が各中継器３を建物内に設置する前に、アドレス設定器などを介して各中継器３の第２記憶部３１に書き込まれている。
【００３１】
また、第２記憶部３１は、第２通信線Ｌ２に接続されている複数の火災感知器２から取得した複数の第２アドレス情報を記憶する。
【００３２】
第２制御部３４は、第２通信部３２と、第３通信部３３と、変換部３５と、第２記憶部３１と、の各々の動作を制御する。第２制御部３４は、例えば、中継器３が有するマイクロコンピュータが、マイクロコンピュータの内蔵するメモリからプログラムなどを読み込んで実行することにより実現されている。第２制御部３４は、第３通信部３３で受信した任意の信号に含まれる内容に基づいて、複数の火災感知器２と通信する。例えば、第３通信部３３が第１要求信号を受信した場合、第１制御部１５は、複数の火災感知器２の各々と通信して複数の第２アドレス情報を取得し、複数の第２アドレス情報を含む第１応答信号を火災受信機１に送信する。言い換えると、中継器３は、複数の第２アドレス情報を１つにまとめて火災受信機１に送信することができる。なお、第２制御部３４の動作の詳細については「（５）第１記憶部への第１、第２アドレス情報の記憶手順」にて説明する。
【００３３】
（４）火災感知器の構成
複数の火災感知器２は、第４通信部２１と、第３制御部２２と、第３記憶部２３と、を有している。第４通信部２１には第２通信線Ｌ２が接続されている。第３制御部２２は、例えば、火災感知器２が有するマイクロコンピュータが、マイクロコンピュータの内蔵するメモリからプログラムなどを読み込んで実行することにより実現されている。第３制御部２２は、第４通信部２１と第３記憶部２３とを制御する。また、第３制御部２２は、図示しないセンサ（例えば煙検知素子及び熱検知素子など）から検知結果を取得する。
【００３４】
複数の火災感知器２の第４通信部２１はそれぞれ、第２通信線Ｌ２を介して中継器３の第２通信部３２に接続されている。第２通信線Ｌ２は、少なくとも２本の電線を有する。第４通信部２１は、渡り配線方式により第２通信線Ｌ２の２本の電線間に接続されている。以下、複数の第４通信部２１と第２通信部３２とを電気的に接続する電線のことを第２通信線Ｌ２と呼ぶ。複数の第４通信部２１はそれぞれ、第２通信線Ｌ２を介して第２通信部３２と通信することができる。第４通信部２１は、第２通信線Ｌ２の２本の電線間の電圧を変化させて中継器３の第２通信部３２に信号を送信する。一方、中継器３は、第２通信線Ｌ２の２本の電線間の電圧を変化させて信号を複数の第４通信部２１に送信する。第４通信部２１と第２通信部３２との間の通信方式は、例えば時分割通信方式である。
【００３５】
第３記憶部２３は、例えばＥＥＰＲＯＭなどのような不揮発性のメモリを有する。第３記憶部２３は、第２アドレス情報を記憶している。第２アドレス情報は、複数の火災感知器２に一対一に対応するアドレス情報であり、火災感知器２ごとに異なる。第２アドレス情報は、例えば、数列及び文字列で表される情報である。第２アドレス情報は、各火災感知器２が建物内に設置される前にアドレス設定器などを介して第３記憶部２３に書き込まれている。
【００３６】
（５）第１記憶部への第１、第２アドレス情報の記憶手順
火災受信機１が第１記憶部１１に第１アドレス情報及び第２アドレス情報を記憶する手順について図３を参照して説明する。なお、以下の説明では、３つの火災感知器２を火災感知器２ａ，２ｂ，２ｃとも呼ぶ。火災感知器２ａ，２ｂ，２ｃにはそれぞれ第２アドレス情報としてＡＤ１１，ＡＤ１２，ＡＤ１３が割り当てられている。
【００３７】
中継器３の第２制御部３４は、起動完了後に、中継器３の第３通信部３３が火災受信機１の第１通信部１４と通信可能な状態になると、火災受信機１の第１通信部１４に第１アドレス情報を送信する（Ｐ１）。第２制御部３４は、他にも例えば、火災受信機１の第１通信部１４から第１アドレス情報を要求する信号を受信した場合にも、火災受信機１の第１通信部１４に第１アドレス情報を送信する。
【００３８】
火災受信機１の第１制御部１５は、第１通信部１４が受信した第１アドレス情報を第１記憶部１１に記憶させる（Ｐ２）。以下の表１は、第１記憶部１１に第１アドレス情報及び第２アドレス情報が未登録である場合の第１記憶部１１の記憶状態を示している。一方、表２は、第１制御部１５が第１記憶部１１に第１アドレス情報を記憶させた後の第１記憶部１１の記憶状態を示している。表２では、中継器３のアドレスとして「ＡＤ１０」が第１記憶部１１に記憶されている。なお、第１アドレス情報は、中継器３の第３通信部３３が送信することに限らず、作業者が火災受信機１の操作部１３を操作して第１アドレス情報を第１記憶部１１に記憶させてもよい。
【００３９】
【表１】
2018173892.tif 000003
【００４０】
【表２】
2018173892.tif 000004
【００４１】
第１制御部１５は、アドレスとしてＡＤ１０が割り当てられた中継器３の第３通信部３３に第１要求信号を送信する（Ｐ３）。第１要求信号は、中継器３に接続された複数の火災感知器２の全てのアドレス情報を中継器３に対して要求する信号である。
【００４２】
中継器３の第２制御部３４は、第３通信部３３が第１要求信号を受信すると、第２通信部３２から複数の火災感知器２の第４通信部２１に第２要求信号を送信させる（Ｐ４）。第２要求信号は、各火災感知器２に割り当てられた第２アドレス情報を各火災感知器２に対して要求する信号である。
【００４３】
各火災感知器２の第４通信部２１が第２要求信号を受信すると、第３制御部２２は、各火災感知器２に割り当てられたタイムスロットにて、第３記憶部２３に記憶された第２アドレス情報を第４通信部２１から中継器３の第２通信部３２に送信させる（Ｐ５）。
【００４４】
中継器３の第２通信部３２が第２アドレス情報を受信すると、中継器３の第２制御部は、受信した第２アドレス情報を第２記憶部３１に記憶させる。なお、第２通信部３２が第２アドレス情報を受信した際に、第２制御部３４が第２アドレス情報を第２記憶部３１に記憶させる構成は必須の構成ではなく、第２制御部３４は、例えば、第２アドレス情報をマイクロコンピュータのメモリなどに保持させてもよい。
【００４５】
第２制御部３４は、複数の火災感知器２の全てから複数の第２アドレス情報を受信すると、第１応答信号を生成し、第１応答信号を第３通信部３３から火災受信機１の第１通信部１４に送信させる（Ｐ６）。第１応答信号は、第１要求信号に対して応答する信号であり、中継器３と通信可能な全ての火災感知器２に対応する複数の第２アドレス情報を含む信号である。
【００４６】
ここで、第２制御部３４が複数の火災感知器２の全てから複数の第２アドレス情報を受信したか否かを判断する方法として、例えば、第２通信部３２が第１要求信号を送信した時点からの経過時間を利用する方法がある。第２制御部３４は、中継器３に接続可能な火災感知器２の台数と、各火災感知器２に割り当てられるタイムスロットの長さとの積によって定まる時間を待ち時間とする。第２制御部３４は、第１要求信号を送信した時点から当該待ち時間が経過する時点までに受信した複数の第２アドレス情報を、全ての火災感知器２に対応する複数の第２アドレス情報であると判断する。
【００４７】
火災受信機１の第１通信部１４が第１応答信号を受信すると、火災受信機１の第１制御部１５は、第１応答信号に含まれる複数の第２アドレス情報を取得する。第１制御部１５は、取得した各第２アドレス情報を表示部１２に表示させる（Ｐ７）。作業者は、表示部１２の表示内容を確認して、第２アドレス情報の管理操作を行うことができる（Ｐ８）。作業者は、例えば、表示部１２の表示内容と、実際に中継器３に接続されている各火災感知器２とを比較して、表示内容が正しければ、操作部１３を操作して各第２アドレス情報を第１記憶部１１に記憶させる。一方、作業者は、表示部１２の表示内容が正しくなければ、操作部１３を操作して第１記憶部１１への各第２アドレス情報の記憶をキャンセルできる。作業者が操作部１３を操作して複数の第２アドレス情報を第１記憶部１１に記憶させることにより、第１記憶部１１への第２ドレス情報の記憶（登録）が完了する（Ｐ９）。第１記憶部１１に記憶された第１アドレス情報と複数の第２アドレス情報とは、記憶済み情報となる。これにより、火災感知システム５の中継器３及び複数の火災感知器２が火災受信機１に登録された状態となる。表３は、中継器３の第１アドレス情報及び火災感知器２ａ，２ｂ，２ｃの第２アドレス情報が記憶済み情報として記憶された場合における、第１記憶部１１の記憶状態を示している。
【００４８】
【表３】
2018173892.tif 000005
【００４９】
ここで、第１制御部１５は、第１応答信号の送信元である中継器３の第１アドレス情報と、第１応答信号に含まれる複数の第２アドレス情報と、を関連付けて第１記憶部１１に記憶させている。第１制御部１５は、一例として、各第２アドレス情報と、各第２アドレス情報の送信元である中継器３の第１アドレス情報とを１セットとして記憶済み情報を管理している。言い換えると、第１制御部１５は、複数の第２アドレス情報を中継器３の第１アドレス情報ごとに管理する。
【００５０】
例えば、防災システム１００における火災感知器２ｂが交換されるなどして第２アドレス情報が変更された場合に、第１制御部１５は、交換された火災感知器２ｂが接続された中継器３の第１アドレスに関連付けられた複数の第２アドレス情報のみ更新すればよい。そのため、第１制御部１５は、防災システム１００の全ての第２アドレス情報を再取得することなしに、交換された火災感知器２ｂの第２アドレス情報を更新することができる。また、交換された火災感知器２ｂの第２アドレス情報が未知であっても、中継器３から火災感知器２ｂの第２アドレス情報を取得できるので、火災感知器２ｂの交換後に火災感知器２ｂの第２アドレス情報を第１記憶部１１に記憶させる手間が省ける。
【００５１】
次に、火災感知器２ｂが故障などして１つの火災感知器２ｂを交換した場合に、火災感知器２ｂの第２アドレス情報がＡＤ１２からＡＤ１４になる場合について説明する。
【００５２】
作業者は、火災受信機１の操作部１３を操作して、火災受信機１の第１通信部１４から中継器３の第３通信部３３に第１要求信号を送信させる。火災受信機１の第１制御部１５は、取得済み情報と、記憶済み情報とを比較する。表４は、取得済み情報を示す。
【００５３】
【表４】
2018173892.tif 000006
【００５４】
第１制御部１５は、例えば、表４に示す取得済み情報と、表３に示す記憶済み情報とを比較して、火災感知器２ｂの第２アドレス情報がＡＤ１２からＡＤ１４に変更されたと判定する。そして第１制御部１５は、変更後の火災感知器２の第２アドレス情報を表示部１２に表示させる。作業者は、表示部１２の表示内容と、変更後の火災感知器２ｂの第２アドレス情報とを比較して、火災感知器２ｂが交換されたことを確認することができる。なお、上記の例では、交換対象の火災感知器２ｂの第２アドレス情報と、交換後の火災感知器２ｂの第２アドレス情報とを異ならせているが、これに限らず、火災感知器２ｂの交換前後で同一の第２アドレス情報としてもよい。その場合、作業者は、火災感知器２ｂの第２アドレス情報が変更されていない状態で中継器３と通信可能となっていることを表示部で確認することにより、火災感知器２が交換されたことを確認することができる。
【００５５】
（６）第１、第２アドレス情報の破棄手順
火災受信機１が第１記憶部１１から第１アドレス情報及び第２アドレス情報を破棄する手順について図４を参照して説明する。以下では、火災受信機１と通信可能な状態となっている中継器３を第１通信線Ｌ１から外して中継器３と火災受信機１との接続を解除する場合を例にして説明する。
【００５６】
作業者は、中継器３を第１通信線Ｌ１から外す前に、火災受信機１の操作部１３を操作して、第３要求信号を火災受信機１の第１通信部１４から中継器３の第３通信部３３に送信させる（Ｐ２１）。第３要求信号は、中継器３の第２記憶部３１に記憶されている複数の第２アドレス情報を破棄させるように中継器３に要求する信号である。中継器３の第２制御部３４は、中継器３の第３通信部３３が第３要求信号を受信すると、第２記憶部３１に記憶されている複数の第２アドレス情報を破棄する（Ｐ２２）。第２制御部３４は、第２記憶部３１から複数の第２アドレス情報を破棄した後に、第３通信部３３から火災受信機１の第１通信部１４に第３応答信号を送信させる（Ｐ２３）。
【００５７】
火災受信機１の第１制御部１５は、第１通信部１４が第３応答信号を受信すると、第３応答信号の送信先の中継器３に割り当てられた第１アドレス情報と、その第１アドレス情報に関連付けられた複数の第２アドレス情報と、の両方を破棄する（Ｐ２４）。これにより、火災受信機１と通信できない火災感知器２の第２アドレス情報が第１記憶部１１に残ることが防止される。その後、作業者は、中継器３を第１通信線Ｌ１から取り外す（Ｐ２５）。
【００５８】
次に、火災受信機１と中継器３とが通信できなくなった場合に、火災受信機１が第１記憶部１１から第１アドレス情報及び第２アドレス情報を破棄する手順について図５を参照して説明する。火災受信機１と中継器３とが通信できなくなった場合とは、例えば、作業者が中継器３を第１通信線Ｌ１から取り外した場合などである。
【００５９】
作業者は、第１通信線Ｌ１から中継器３を取り外す（Ｐ３１）。火災受信機１の第１制御部１５は、中継器３の第３通信部３３に第４要求信号を送信する（Ｐ３２）。第４要求信号は、例えば、アライブチェック用の信号であり、火災受信機１の操作部１３の操作に応じて第１通信部１４から中継器３の第３通信部３３に送信される信号である。なお、第４要求信号は、操作部１３への入力操作なしに、周期的に（例えば２４時間ごとに）第１通信部１４から中継器３の第３通信部３３に送信されてもよい。
【００６０】
第１制御部１５は、第１通信部１４が第４応答信号を送信した時点から所定の時間が経過する時点までの間に第１通信部１４が第４応答信号を受信すると、第４要求信号の送信先の中継器３と通信可能であると判定する。一方、第１制御部１５は、第１通信部１４が第４応答信号を送信した時点から所定の時間が経過する時点までの間に第４応答信号を受信できなかった場合、タイムアウトしたと判定し、第４要求信号の送信先の中継器３と通信できないと判定する（Ｐ３３）。
【００６１】
第１制御部１５は、第４要求信号の送信先の中継器３と通信できないと判定した場合、第４要求信号の送信先の第１アドレス情報と、その第１アドレス情報に関連付けられた複数の第２アドレス情報とを表示部１２に表示させる（Ｐ３４）。作業者は、第１通信線Ｌ１から取り外した中継器３の第１アドレス情報と、表示部１２に表示された第１アドレス情報とが一致していることを確認し、第１アドレス情報と複数の第２アドレス情報とを削除する操作を操作部１３に入力する（Ｐ３５）。第１制御部１５は、操作部１３に入力された操作に応じて、第４要求信号の送信先の第１アドレス情報と、その第１アドレス情報に関連付けられた複数の第２アドレス情報とを第１記憶部１１から破棄する（Ｐ３６）。
【００６２】
ところで、ステップＰ３４，Ｐ３５は、ステップＰ３６の後に実行されてもよい。例えば、第１制御部１５は、第４要求信号の送信先の中継器３と通信できないと判定した場合、記憶済み情報を破棄し、その後に、表示部１２に記憶済み情報の破棄を表示させて、作業者からの操作部１３への入力操作を待ってもよい。他にも例えば、ステップＰ３４，Ｐ３５は省略されてもよい。これにより、火災受信機１は、例えば、中継器３が第１通信線Ｌ１から取り外されて、この中継器３の第１アドレス情報が第１記憶部１１から削除された場合、この第１アドレス情報に対応する複数の第２アドレス情報を自動的に破棄することになる。
【００６３】
ところで、火災受信機１の第１記憶部１１には、火災受信機１の操作部１３を操作することにより第１アドレス情報を記憶させることができる。例えば、第１アドレス情報を火災受信機１に送信する機能を有していない中継器３でも、作業者が操作部１３を操作して、その中継器３に割り当てられた第１アドレス情報を第１記憶部１１に記憶させることにより、その中継器３と火災受信機１とが通信可能となる。しかしながら、この場合、作業者が誤った第１アドレス情報を操作部１３に入力すると、誤った第１アドレス情報が第１記憶部１１に記憶されることになる。そこで、火災受信機１の第１制御部１５は、第１アドレス情報が第１記憶部１１に記憶されると、記憶された第１アドレス情報が割り当てられた中継器３の第３通信部３３に確認信号を送信し、第３通信部３３と通信できるか否かを判定する。第１制御部１５は、確認信号を送信した時点から所定の時間が経過する時点までの間に、確認信号に対する応答信号を第１通信部１４が受信できた場合、第１通信部１４から第３通信部３３に第１要求信号を送信することができる。
【００６４】
一方、第１制御部１５は、第１通信部１４が確認信号を送信した時点から所定の時間が経過する時点までの間に、確認信号に対応する応答信号を第１通信部１４が受信できなかった場合、当該第１アドレス情報を第１記憶部１１から破棄する。そして第１制御部１５は、当該第１アドレス情報を第１記憶部１１から破棄したことを表示部１２に表示させる。これにより、誤って第１記憶部１１に記憶された第１アドレスが第１記憶部１１から破棄される。また、作業者は、誤って入力した第１アドレス情報が第１記憶部１１から破棄されたことを表示部１２の表示内容から知ることができる。
【００６５】
（７）まとめ
以上説明したように、実施形態１の防災システム１００は、火災受信機１と、中継器３と、を備えている。火災受信機１は、複数の火災感知器２のうち少なくとも１つの火災感知器２から火災の発生を通知する信号を受信する。中継器３は、複数の火災感知器２と火災受信機１との通信を中継する。中継器３は、自己に割り当てられた第１アドレス情報を記憶する。複数の火災感知器２は、複数の火災感知器２に一対一に割り当てられた複数の第２アドレス情報を記憶する。中継器３は、自己の第１アドレス情報を火災受信機１に送信する機能と、複数の第２アドレス情報を複数の火災感知器２から取得する機能と、複数の第２アドレス情報を火災受信機１に送信する機能と、を有する。火災受信機１は、第１記憶部１１（記憶部）を有し、第１記憶部１１（記憶部）に記憶した第１アドレス情報が割り当てられた中継器３から複数の第２アドレス情報を取得して複数の第２アドレス情報を第１記憶部１１（記憶部）に記憶するように構成されている。
【００６６】
上記構成によれば、火災受信機１は、複数の火災感知器２と直接的に通信することなしに、第１アドレス情報が割り当てられた中継器３から複数の第２アドレス情報を取得することができる。火災受信機１は、第１記憶部１１（記憶部）に中継器３の第１アドレス情報が記憶されていれば、第１記憶部１１（記憶部）に第２アドレス情報が記憶されていなくても、中継器３から第２アドレス情報を取得できる。言い換えると、防災システム１００では、火災受信機１が火災感知器２と直接的に通信できない状況でも火災感知器２に割り当てられたアドレス情報（ここでは第２アドレス情報）を火災受信機１が取得できる。
【００６７】
実施形態１の防災システム１００において、中継器３を複数備え、火災受信機１は、複数の第２アドレス情報を中継器３の第１アドレス情報ごとに管理することが好ましい。これにより、火災受信機１は、中継器３とその中継器３と通信する複数の火災感知器２とを１つのグループとして、それらの第１アドレス情報及び第２アドレス情報をまとめて管理することができる。
【００６８】
実施形態１の防災システム１００において、火災受信機１は、中継器３から取得した複数の第２アドレス情報と、第１記憶部１１（記憶部）に記憶されている複数の第２アドレス情報と、を中継器３ごとに比較する。火災受信機１は、比較結果に応じた出力を行うように構成されたことが好ましい。これにより、火災受信機１は、第１記憶部１１（記憶部）に記憶されている全ての第２アドレス情報について第２アドレス情報が変更されたか否かの比較を行うよりも短い時間で、比較結果に応じた出力を行うことができる。
【００６９】
実施形態１の防災システム１００において、火災受信機１は、表示部１２と、操作部１３と、を更に有する。表示部１２は、複数の第２アドレス情報の記憶状態を表示する。操作部１３は、記憶状態を変更する操作を受け付ける。火災受信機１は、操作部１３での操作に応じて記憶状態を変更するように構成されたことが好ましい。上記構成によれば、火災受信機１は、操作部１３で受け付けた操作に応じて複数の第２アドレス情報の記憶状態を変更することができる。これにより、作業者は、表示部１２を見て複数の第２アドレス情報の記憶状態を確認することができ、複数の第２アドレス情報の記憶状態に基づいて当該記憶状態を変更するように操作部を操作することができる。なお、「第２アドレス情報の記憶状態の変更」は、第２アドレス情報に含まれる値の変更の他にも、第２アドレス情報の破棄も意味する。
【００７０】
実施形態１の防災システム１００において、火災受信機１は、第１記憶部１１（記憶部）から第１アドレス情報が削除された場合、この第１アドレス情報に対応する複数の第２アドレス情報を破棄するように構成されたことが好ましい。これにより、火災受信機１は、例えば、中継器３が交換された場合に、この中継器３に対応する複数の火災感知器２に割り当てられた複数の第２アドレス情報を第１記憶部１１（記憶部）から自動的に破棄することができる。
【００７１】
実施形態１の防災システム１００において、火災受信機１は、複数の第２アドレス情報の送信を要求する第１要求信号（要求信号）を中継器３に送信するように構成されている。中継器３は、第１要求信号（要求信号）を受信すると、複数の火災感知器２から複数の第２アドレス情報を取得し、取得した複数の第２アドレス情報を火災受信機１に送信するように構成されたことが好ましい。上記構成によれば、中継器３は、第１要求信号（要求信号）を受信するごとに複数の火災感知器２から複数の第２アドレス情報を取得して、取得した複数の第２アドレス情報を火災受信機１に送信することができる。これにより、火災受信機１は、第１要求信号（要求信号）を中継器３に送信した時点における複数の第２アドレス情報を中継器３から取得することができる。
【００７２】
実施形態１の火災受信機１は、複数の火災感知器２のうち少なくとも１つの火災感知器２から火災の発生を通知する信号を、中継器３を介して受信する。中継器３は、自己に割り当てられた第１アドレス情報を記憶し、複数の火災感知器２と火災受信機１との通信を中継する。複数の火災感知器２は、複数の火災感知器２に一対一に割り当てられた複数の第２アドレス情報を記憶する。中継器３は、自己の第１アドレス情報を火災受信機１に送信する機能と、複数の第２アドレス情報を複数の火災感知器２から取得する機能と、複数の第２アドレス情報を火災受信機１に送信する機能と、を有する。火災受信機１は、第１記憶部１１（記憶部）を有し、第１記憶部１１（記憶部）に記憶した第１アドレス情報が割り当てられた中継器３から複数の第２アドレス情報を取得して複数の第２アドレス情報を第１記憶部１１（記憶部）に記憶するように構成されている。
【００７３】
上記構成によれば、第１記憶部１１（記憶部）に中継器３の第１アドレス情報が記憶されていれば、火災受信機１は、第１記憶部１１（記憶部）に第２アドレス情報が記憶されていなくても、中継器３から第２アドレス情報を取得できる。そのため、火災受信機１が火災感知器２と直接的に通信できない状況でも火災感知器２に割り当てられたアドレス情報（ここでは第２アドレス情報）を火災受信機１が取得できる。
【００７４】
実施形態１の中継器３は、複数の火災感知器２と火災受信機１との通信を中継する。火災受信機１は、複数の火災感知器２のうち少なくとも１つの火災感知器２から火災の発生を通知する信号を受信する。中継器３は、自己に割り当てられた第１アドレス情報を記憶する。複数の火災感知器２は、複数の火災感知器２に一対一に割り当てられた複数の第２アドレス情報を記憶する。中継器３は、自己の第１アドレス情報を火災受信機１に送信する機能と、複数の第２アドレス情報を複数の火災感知器２から取得する機能と、複数の第２アドレス情報を火災受信機１に送信する機能と、を有する。
【００７５】
上記構成によれば、中継器３は、第１記憶部１１（記憶部）に予め第２アドレス情報が記憶されていない火災受信機１に第２アドレス情報を送信することができる。そのため、中継器３は、火災受信機１が火災感知器２と直接的に通信できない状況でも火災感知器２に割り当てられたアドレス情報（ここでは第２アドレス情報）を火災受信機１に取得させることができる。
【００７６】
ところで、第１応答信号は、複数の第２アドレス情報を少なくとも含んでいればよく、各火災感知器２の種類と各火災感知器２の感度に関する情報とは省略可能である。
【００７７】
中継器３は、第１要求信号を受信した後に第１応答信号を火災受信機１に送信することに限らない。中継器３は、例えば、周期的に（例えば２４時間ごとに）第１応答信号を火災受信機１に送信する場合などのように、第１要求信号を受信することなしに第１応答信号を火災受信機１に送信してもよい。
【００７８】
実施形態１の防災システム１００では、第１通信線Ｌ１及び第２通信線Ｌ２を介した有線通信方式の例を説明したが、この例に限らず、電波を媒体とした無線通信方式を採用してもよい。例えば、中継器３は、無線通信により、複数の火災感知器２及び火災受信機１と通信してもよい。
【００７９】
（変形例）
実施形態１の変形例に係る防災システムについて説明する。なお、変形例に係る防災システムにおいて、実施形態１の防災システム１００と同様の構成については同一の符号を付して説明を省略する。
【００８０】
変形例に係る防災システムにおいて、火災受信機１は、複数の第２アドレス情報の送信を要求する第１要求信号（要求信号）を中継器３に送信するように構成されている。中継器３は、複数の火災感知器２から複数の第２アドレス情報を取得して保持し、要求信号を受信すると、保持している複数の第２アドレス情報を火災受信機１に送信するように構成されている。
【００８１】
変形例に係る防災システムの中継器３について説明する。中継器３の第２制御部３４は、第３通信部３３で第１要求信号を受信する前に複数の火災感知器２から複数の第２アドレス情報を取得して第２記憶部３１に記憶している。中継器３の第２制御部３４は、例えば、第２通信部３２から複数の火災感知器２に周期的に（例えば２時間ごとに）第２要求信号を送信させて、複数の火災感知器２から複数の第２アドレス情報を取得し、第２記憶部３１に複数の第２アドレス情報を記憶させている。言い換えると、中継器３は、複数の火災感知器２から複数の第２アドレス情報を取得して保持することができる。
【００８２】
第２制御部３４は、第３通信部３３が第１要求信号を受信すると、第２記憶部３１に記憶させた複数の第２アドレス情報を含む第１応答信号を生成して、第３通信部３３から火災受信機１に第１応答信号を送信させる。つまり、変形例に係る防災システムにおける中継器３は、第１要求信号を受信しても複数の火災感知器から複数の第２アドレスを取得することなしに、第２記憶部３１に記憶させた複数の第２アドレス情報を含む第１応答信号を火災受信機に送信する。
【００８３】
上記構成によれば、火災受信機１が第１要求信号を送信した時点から第１応答信号を受信する時点までの間に、中継器３が複数の火災感知器２から複数の第２アドレス情報を取得する時間が不要になる。そのため、火災受信機１が第１要求信号を送信した時点から第１応答信号を受信する時点までの時間が短くなる。
【００８４】
なお、変形例に係る防災システム１００における他の構成は、実施形態１の防災システム１００と同様であるため説明を省略する。
【００８５】
（実施形態２）
実施形態２の防災システム１００について説明する。実施形態２の防災システム１００では、火災受信機１が第２アドレス情報を比較することに代えて、中継器３が第２アドレス情報を比較する点が、実施形態１の防災システム１００と異なる。なお、実施形態２の防災システム１００において、実施形態１の防災システム１００と同様の構成については同一の符号を付して説明を省略する。
【００８６】
実施形態２の防災システム１００において、火災受信機１の記憶部は、第１記憶部１１である。中継器３は、複数の第２アドレス情報を記憶する第２記憶部３１を有する。中継器３は、第２記憶部３１に記憶されている複数の第２アドレス情報と、複数の火災感知器２から取得した複数の第２アドレス情報と、を比較し、比較結果を火災受信機１に送信するように構成されている。
【００８７】
実施形態２の防災システムにおける中継器３について説明する。
【００８８】
中継器３は、複数の第２アドレス情報を複数の火災受信機１から取得した際に、第２記憶部３１に記憶された複数の第２アドレス情報と、取得した複数の第２アドレス情報とを比較する。
【００８９】
中継器３の第２記憶部３１には、複数の第２応答信号から取得した複数の第２アドレス情報が記憶されている。
【００９０】
中継器３の第２制御部３４は、第３通信部３３が第１要求信号を受信すると、第２通信部３２から複数の火災受信機１に第２要求信号を送信させる。第２制御部３４は、第２通信部３２が第２応答信号を受信すると、第２記憶部３１に記憶された複数の第２アドレス情報と、取得した複数の第２アドレス情報とを比較する。第２制御部３４は、例えば、比較結果を含む第５応答信号を生成して、第３通信部３３から火災受信機１の第１通信部１４に第５応答信号を送信させる。比較結果は、一例として、変更前の第２アドレス情報と、変更後の第２アドレス情報と、である。なお、比較結果は、他にも例えば、変更された第２アドレス情報が割り当てられている火災感知器２の種類、及び感度に関する情報などを含んでいてもよい。中継器３が変更前後の第２アドレス情報の比較結果を火災受信機１に送信することにより、変更前後の第２アドレス情報を比較する機能を火災受信機１から省略することができる。
【００９１】
中継器３の第２制御部３４は、第３通信部３３から火災受信機１の第１通信部１４に第５応答信号を送信させた後に、変更後の第２アドレス情報を第２記憶部３１に記憶させる。
【００９２】
第１通信部１４が第５応答信号を受信すると、火災受信機１の第１制御部１５は、第５応答信号に含まれる情報（変更前後の第２アドレス情報など）を表示部１２に表示させる。作業者は、例えば、中継器３と通信する火災感知器２ｂを交換などした際に、火災受信機１の表示部１２の表示内容を確認することにより、交換後の火災感知器２ｂが中継器３と通信して中継器３に認識されていることを確認することができる。
【００９３】
ところで、実施形態１の変形例の防災システムにおける中継器３の機能を、実施形態２の防災システムにおける中継器３に適用可能である。つまり、中継器３は、予め第２記憶部３１に複数の第２アドレス情報を記憶させる機能と、複数の火災感知器２から取得した複数の第２アドレス情報と第２記憶部３１に記憶された複数の第２アドレス情報とを比較する機能と、の２つの機能を有していてもよい。
【符号の説明】
【００９４】
１００  防災システム
１  火災受信機
１１  第１記憶部（記憶部）
１２  表示部
１３  操作部
２  火災感知器
３  中継器
３１  第２記憶部
【図１】
2018173892.tif 000007
【図２】
2018173892.tif 000008
【図３】
2018173892.tif 000009
【図４】
2018173892.tif 000010
【図５】
2018173892.tif 000011